(57)【要約】      （修正有）【課題】組み立て作業が容易にできる太陽光発電装置を提供する。【解決手段】太陽光発電装置１は、多数のセル１４が規則正しい配列となるよう形成されたハニカム構造体１５、および各セル１４の孔芯１６方向におけるハニカム構造体１５の各端面に接着される表、裏板１７，１８を有するハニカム板２と、表板１７の外面に取り付けられる太陽電池３とを備える。裏板１８の面方向の中途部の複数箇所に配置され、それぞれ棒状材２５の一端部を固着させる固着材２３を設ける。各固着材２３への各棒状材の２５一端部の固着により裏板１８が固定側部材６に取り付けられるようにする。固着材２３をナット３４とし、棒状材２５をボルト３７とし、ボルト３７の一端部に形成された雄ねじをナット３４の雌ねじに螺合させることによりナット３４にボルトの一端部が固着されるようにする。【選択図】図１
2014060271.tif 000002
【特許請求の範囲】
【請求項１】
多数のセルが規則正しい配列となるよう形成されたハニカム構造体、および上記各セルの孔芯方向における上記ハニカム構造体の各端面に接着される表、裏板を有するハニカム板と、上記表板の外面に取り付けられる太陽電池とを備えた太陽光発電装置において、
上記裏板の面方向の中途部の複数箇所に配置され、それぞれ棒状材の一端部を固着させる固着材を設け、これら各固着材への上記各棒状材の一端部の固着により上記裏板が固定側部材に取り付けられるようにしたことを特徴とする太陽光発電装置。
【請求項２】
上記固着材をナットとし、上記棒状材をボルトとし、このボルトの一端部に形成された雄ねじを上記ナットの雌ねじに螺合させることにより上記ナットに上記ボルトの一端部が固着されるようにしたことを特徴とする請求項１に記載の太陽光発電装置。
【請求項３】
上記固着材を全体的にセルの内部に配置したことを特徴とする請求項１に記載の太陽光発電装置。
【請求項４】
上記表板と固着材との間に隙間を形成したことを特徴とする請求項１、もしくは３に記載の太陽光発電装置。
【請求項５】
上記棒状材の他端部が固定側部材に形成された固着孔に挿入されて接着材により固着されるようにしたことを特徴とする請求項１，３，４のうちいずれか１つに記載の太陽光発電装置。
【請求項６】
上記固着材への上記棒状材の一端部の固着により上記裏板に固着される被係止部を設ける一方、上記固定側部材の所定位置に固着され、上記被係止部を係止させる係止部を設けたことを特徴とする請求項１から４のうちいずれか１つに記載の太陽光発電装置。
【請求項７】
請求項５に記載の太陽光発電装置の組み立て方法であって、
上記各固着材にそれぞれ各棒状材の一端部を固着させる一方、上記固定側部材の所定位置に複数の固着孔を形成し、これら各固着孔に接着材を注入し、
次に、上記各棒状材の他端部を上記各固着孔に挿入することを特徴とする太陽光発電装置の組み立て方法。
【請求項８】
請求項６に記載の太陽光発電装置の組み立て方法であって、
上記固着材への上記棒状材の一端部の固着により上記裏板に上記被係止部を固着する一方、上記固定側部材の所定位置に係止部を固着し、
次に、上記係止部に上記被係止部を係止させることを特徴とする太陽光発電装置の組み立て方法。
【発明の詳細な説明】
【技術分野】
【０００１】
本発明は、ハニカム板の外面に太陽電池を取り付け、上記ハニカム板を建物などの固定側部材に取り付けるようにした太陽光発電装置、およびその組み立て方法に関するものである。
【背景技術】
【０００２】
上記太陽光発電装置には、従来、下記特許文献１に示されるものがある。この公報のものによれば、太陽光発電装置は、多数のセルが規則正しい配列となるよう形成されたハニカム構造体、このハニカム構造体の外縁部に沿って延びる枠材、および上記各セルの孔芯方向における上記ハニカム構造体の各端面に接着される表、裏板を有するハニカム板と、上記表板の外面に取り付けられる太陽電池とを備え、これらは全体的に屋外に設置される。
【０００３】
そして、上記太陽電池に太陽光が到達すると、この太陽電池において太陽光の光エネルギーは電気エネルギーに変換され、この電気エネルギーは、一旦、バッテリに充電された後、電気機器に供給されたり、直接電気機器に供給されたりして、太陽光が有効に利用されることとされる。
【先行技術文献】
【特許文献】
【０００４】
【特許文献１】特開平１１−５４７７８号公報
【特許文献２】特開２００３−３１４０１１号公報
【発明の概要】
【発明が解決しようとする課題】
【０００５】
ところで、上記太陽光発電装置の組み立て作業において、上記ハニカム板を介し太陽電池を建物などの固定側部材に取り付ける作業をする場合には、通常、上記枠材を締結具により上記固定側部材に締結することにより、この固定側部材に上記ハニカム板を取り付けることが行われる。
【０００６】
しかし、上記枠材は、上記ハニカム構造体の外縁部に沿って延びたものであって、上記ハニカム板の表板の外面に取り付けられた太陽電池の近くに位置するものである。このため、上記ハニカム板を固定側部材に取り付けようとして、上記枠材を固定側部材に締結するとき、作業者が上記太陽電池に無意図的に接触するなどして、この太陽電池を損傷させるおそれがある。よって、上記した枠材を固定側部材に締結する作業時には、作業者が太陽電池に接触しないよう十分に留意する必要が生じることから、その分、上記太陽光発電装置の組み立て作業が煩雑になりがちである。
【０００７】
また、上記した固定側部材へのハニカム板の取り付けは、このハニカム板の枠材を利用したものであって、この枠材が必須とされる。よって、その分、このハニカム板の質量が大きくなることから、これによっても、上記太陽光発電装置の組み立て作業が煩雑になりがちである。
【課題を解決するための手段】
【０００８】
本発明は、上記のような事情に注目してなされたもので、本発明の目的は、組み立て作業が容易にできる太陽光発電装置を提供することである。
【０００９】
請求項１の発明は、全図に例示するように、多数のセル１４が規則正しい配列となるよう形成されたハニカム構造体１５、および上記各セル１４の孔芯１６方向における上記ハニカム構造体１５の各端面に接着される表、裏板１７，１８を有するハニカム板２と、上記表板１７の外面に取り付けられる太陽電池３とを備えた太陽光発電装置において、
上記裏板１８の面方向の中途部の複数箇所に配置され、それぞれ棒状材２５の一端部を固着させる固着材２３を設け、これら各固着材２３への上記各棒状材の２５一端部の固着により上記裏板１８が固定側部材６に取り付けられるようにしたことを特徴とする太陽光発電装置である。
【００１０】
請求項２の発明は、全図に例示するように、上記固着材２３をナット３４とし、上記棒状材２５をボルト３７とし、このボルト３７の一端部に形成された雄ねじ３８を上記ナット３４の雌ねじ３３に螺合させることにより上記ナット３４に上記ボルト３７の一端部が固着されるようにしたことを特徴とする請求項１に記載の太陽光発電装置である。
【００１１】
請求項３の発明は、全図に例示するように、上記固着材２３を全体的にセル１４の内部に配置したことを特徴とする請求項１に記載の太陽光発電装置である。
【００１２】
請求項４の発明は、全図に例示するように、上記表板１７と固着材２３との間に隙間２６を形成したことを特徴とする請求項１、もしくは３に記載の太陽光発電装置である。
【００１３】
請求項５の発明は、図１〜３に例示するように、上記棒状材２５の他端部が固定側部材６に形成された固着孔２９に挿入されて接着材３０により固着されるようにしたことを特徴とする請求項１，３，４のうちいずれか１つに記載の太陽光発電装置である。
【００１４】
請求項６の発明は、図４に例示するように、上記固着材２３への上記棒状材２５の一端部の固着により上記裏板１８に固着される被係止部４２を設ける一方、上記固定側部材６の所定位置に固着され、上記被係止部４２を係止させる係止部４３を設けたことを特徴とする請求項１から４のうちいずれか１つに記載の太陽光発電装置である。
【００１５】
請求項７の発明は、図３に例示するように、請求項５に記載の太陽光発電装置の組み立て方法であって、
上記各固着材２３にそれぞれ各棒状材２５の一端部を固着させる一方、上記固定側部材６の所定位置に複数の固着孔２９を形成し、これら各固着孔２９に接着材３０を注入し、
次に、上記各棒状材２５の他端部を上記各固着孔２９に挿入することを特徴とする太陽光発電装置の組み立て方法である。
【００１６】
請求項８の発明は、図４に例示するように、請求項６に記載の太陽光発電装置の組み立て方法であって、
上記固着材２３への上記棒状材２５の一端部の固着により上記裏板１８に上記被係止部４２を固着する一方、上記固定側部材６の所定位置に係止部４３を固着し、
次に、上記係止部４３に上記被係止部４２を係止させることを特徴とする太陽光発電装置の組み立て方法である。
【００１７】
なお、この項において、上記各用語に付記した符号や図面番号は、本発明の技術的範囲を後述の「実施例」の項や図面の内容に限定解釈するものではない。
【発明の効果】
【００１８】
本発明による効果は、次の如くである。
【００１９】
請求項１の発明は、多数のセルが規則正しい配列となるよう形成されたハニカム構造体、および上記各セルの孔芯方向における上記ハニカム構造体の各端面に接着される表、裏板を有するハニカム板と、上記表板の外面に取り付けられる太陽電池とを備えた太陽光発電装置において、
上記裏板の面方向の中途部の複数箇所に配置され、それぞれ棒状材の一端部を固着させる固着材を設け、これら各固着材への上記各棒状材の一端部の固着により上記裏板が固定側部材に取り付けられるようにしている。
【００２０】
このため、上記太陽光発電装置の組み立て作業において、上記ハニカム板を介し太陽電池を建物などの固定側部材に取り付ける作業をする場合には、上記各棒状材の一端部を上記各固着材に固着することにより上記ハニカム板の裏板を固定側部材に取り付ければよい。この場合、上記ハニカム板は大きい剛性を有するものでありながら軽量なものであるため、上記固定側部材へのハニカム板の取り付け作業は容易にでき、つまり、上記太陽光発電装置の組み立て作業が容易にできる。
【００２１】
そして、上記太陽光発電装置の組み立て作業において、ハニカム板の裏板を固定側部材に取り付けようとして、上記各棒状材の一端部を上記各固着材に固着するとき、これら固着材は上記ハニカム板の裏板側に配置されていることから、上記固着のための作業空間は上記ハニカム板を基準として上記表板に取り付けられた太陽電池とは反対側の空間に位置することとなる。このため、上記固着のための作業者や棒状材が上記太陽電池に無意図的に接触するなどして、この太陽電池を損傷させることは、より確実に防止される。よって、上記太陽光発電装置の組み立て作業には、上記作業者や棒状材が上記太陽電池に接触することに大きくは留意しないで足りる分、上記太陽光発電装置の組み立て作業が、より容易にできる。
【００２２】
しかも、上記太陽光発電装置の組み立て作業において、ハニカム板を固定側部材に取り付ける場合、前記従来の技術のようなハニカム構造体の外縁部に沿って延びる枠材を利用しないで足りることから、上記ハニカム板を、より軽量にすることができる。また、仮に、上記のような枠材を利用するとしても、上記ハニカム板の裏板を固定側部材に取り付ける分、上記枠材の強度を低くして、上記ハニカム板を、より軽量にさせることができる。よって、その分、上記太陽光発電装置の組み立て作業が更に容易にできる。
【００２３】
請求項２の発明は、上記固着材をナットとし、上記棒状材をボルトとし、このボルトの一端部に形成された雄ねじを上記ナットの雌ねじに螺合させることにより上記ナットに上記ボルトの一端部が固着されるようにしている。
【００２４】
このため、上記固着材と棒状材とは、その構成を簡単にできると共に、上記固着材への棒状材の一端部の固着は上記ボルトの捻回作業という単純な作業でできる。よって、その分、太陽光発電装置の組み立て作業が、より容易にできる。
【００２５】
請求項３の発明は、上記固着材を全体的にセルの内部に配置している。
【００２６】
このため、上記ハニカム板から外方に向かって上記固着材の一部が大きく突出することは防止される。よって、上記ハニカム板の複数枚を積み重ねるとき、この積み重ねは、上記固着材に邪魔されることなくコンパクトに安定した状態にでき、これは、上記ハニカム板の搬送や保管上有益である。
【００２７】
請求項４の発明は、上記表板と固着材との間に隙間を形成している。
【００２８】
このため、太陽光発電装置の組み立て作業において、上記ハニカム板の裏板を固定側部材に取り付けるようとして、上記各棒状材の一端部を上記各固着材に固着するとき、上記各棒状材側から各固着材に与えられる外力が上記ハニカム板の表板に伝達されることは、上記隙間の存在により防止される。よって、上記外力により上記表板が変形することは防止されて、この表板の外面に取り付けられている太陽電池が損傷させられることが防止され、その分、上記太陽光発電装置の組み立て作業が、より容易にできる。
【００２９】
請求項５の発明は、上記棒状材の他端部が固定側部材に形成された固着孔に挿入されて接着材により固着されるようにしている。
【００３０】
このため、コンクリート製のような固定側部材の外面に対しても、上記ハニカム板を介し太陽電池を容易に取り付けることができる。
【００３１】
請求項６の発明は、上記固着材への上記棒状材の一端部の固着により上記裏板に固着される被係止部を設ける一方、上記固定側部材の所定位置に固着され、上記被係止部を係止させる係止部を設けている。
【００３２】
このため、上記係止部への被係止部の係止という簡単な作業により、上記固定側部材にハニカム板を取り付けることができる。よって、その分、上記太陽光発電装置の組み立て作業が、より容易にできる。
【００３３】
請求項７の発明は、請求項５に記載の太陽光発電装置の組み立て方法であって、
上記各固着材にそれぞれ各棒状材の一端部を固着させる一方、上記固定側部材の所定位置に複数の固着孔を形成し、これら各固着孔に接着材を注入し、
次に、上記各棒状材の他端部を上記各固着孔に挿入している。
【００３４】
この発明によれば、請求項５と同様の効果が生じる。
【００３５】
請求項８の発明は、請求項６に記載の太陽光発電装置の組み立て方法であって、
上記固着材２３への上記棒状材２５の一端部の固着により上記裏板１８に上記被係止部４２を固着する一方、上記固定側部材６の所定位置に係止部４３を固着し、
次に、上記係止部４３に上記被係止部４２を係止させている。
【００３６】
この発明によれば、請求項６と同様の効果が生じる。
【図面の簡単な説明】
【００３７】
【図１】実施例１を示し、太陽光発電装置の部分斜視図である。
【図２】実施例１を示し、（ａ）は太陽光発電装置の部分平面図、（ｂ）は（ａ）のｂ-ｂ線矢視断面図である。
【図３】実施例１を示し、太陽光発電装置の組み立て方法の説明図である。
【図４】実施例２を示し、図３に相当する図である。
【発明を実施するための形態】
【００３８】
本発明の太陽光発電装置に関し、組み立て作業が容易にできる太陽光発電装置を提供する、という目的を実現するため、本発明を実施するための形態は、次の如くである。
【００３９】
即ち、太陽光発電装置は、多数のセルが規則正しい配列となるよう形成されたハニカム構造体、および上記各セルの孔芯方向における上記ハニカム構造体の各端面に接着される表、裏板を有するハニカム板と、上記表板の外面に取り付けられる太陽電池とを備える。上記裏板の面方向の中途部の複数箇所に配置され、それぞれ棒状材の一端部を固着させる固着材が設けられる。これら各固着材への上記各棒状材の一端部の固着により上記裏板が固定側部材に取り付けられる。
【実施例１】
【００４０】
本発明をより詳細に説明するために、その実施例１を添付の図１〜３に従って説明する。
【００４１】
図１，２において、符号１は太陽光発電装置であり、この太陽光発電装置１は、ほぼ水平に延びるよう屋外に設置されるハニカム板２と、このハニカム板２の外面で太陽光が照射される側に取り付けられ、太陽光の光エネルギーを電気エネルギーに変換する太陽電池３と、上記ハニカム板２の外縁部に着脱可能に取り付けられ、上記電気エネルギーを電力として出力する端子ボックス４と、この端子ボックス４から出力される電力をバッテリや他の電気機器に向けて出力させるソケットやプラグを含む電線５と、上記ハニカム板２を建物や構築物などコンクリート製の固定側部材６に固着させる固定具７とを備えている。
【００４２】
上記ハニカム板２と太陽電池３との組み合わせ体は太陽電池モジュール１１といわれるものであり、工場生産により一体的に形成される。具体的には、上記太陽電池モジュール１１におけるハニカム板２と太陽電池３との間には絶縁膜材１２が介設される。また、上記太陽電池モジュール１１の太陽電池３をその外方から全体的に覆う透明な樹脂製で防水性のカバーシート１３が設けられる。
【００４３】
上記ハニカム板２は、断面が六角形状の多数のセル１４が規則正しい配列となるよう形成され、全体として矩形平板形状のハニカム構造体１５、および上記各セル１４の孔芯１６方向（上下方向）における上記ハニカム構造体１５の各端面に接着される表、裏板１７，１８を有し、上記表板１７の外面（上面）に上記太陽電池３が面接合により取り付けられる。上記ハニカム構造体１５、表板１７、および裏板１８はそれぞれアルミ（アルミ合金含む）製とされている。
【００４４】
前記固定具７は、上記裏板１８の面方向の複数箇所に配置され、上記孔芯１６方向に延びる孔２２が形成された固着材２３を有している。これら各固着材２３は、それぞれ全体的にセル１４の内部に配置され、上記裏板１８の内面に溶接により固着される。上記固着材２３の各孔２２は、上記裏板１８に形成された貫通孔２４を通して上記裏板１８の外部（下方の外部）と連通している。この場合、ハニカム板２の表板１７と固定具７の固着材２３との間には隙間２６が形成されている。
【００４５】
また、上記固定具７は、長手方向の一端部が上記各固着材２３の孔２２に挿入されて固着される棒状材２５を有している。この棒状材２５の他端部は固定側部材６に形成された複数の固着孔２９に挿入され、接着材３０により接着されて固着される。つまり、上記各固着材２３への上記各棒状材２５の一端部の固着と、上記固定側部材６への上記各棒状材２５の他端部の固着とにより上記裏板１８が固定側部材６に取り付けられる。
【００４６】
具体的には、上記孔２２は雌ねじ３３とされ、上記固着材２３は直方体形状のナット３４とされる。また、上記棒状材２５はボルト３７とされ、上記棒状材２５の一端部である上記ボルト３７の一端部には雄ねじ３８が形成される。上記ボルト３７の雄ねじ３８が、上記貫通孔２４を通し上記ナット３４の雌ねじ３３に螺合させられることにより上記ナット３４に上記ボルト３７の一端部が固着される。
【００４７】
なお、上記固定側部材６は鉄骨製であってもよい。また、上記固着材２３はその貫通孔２４をクリップ孔とし、棒状材２５を上記固定側部材６に突設されるクリップとしてもよい。また、上記棒状材２５は、その軸方向の全体に雄ねじ３８が形成されたものでもよい。また、上記固着材２３は、その一部を上記貫通孔２４に印籠状に嵌入させてもよく、上記裏板１８に締結されるものであってもよい。
【００４８】
上記構成によれば、裏板１８の面方向の中途部の複数箇所に配置され、それぞれ棒状材２５の一端部を固着させる固着材２３を設け、これら各固着材２３への上記各棒状材の２５一端部の固着により上記裏板１８が固定側部材６に取り付けられるようにしている。
【００４９】
このため、上記太陽光発電装置１の組み立て作業において、上記ハニカム板２を介し太陽電池３を建物などの固定側部材６に取り付ける作業をする場合には、上記各棒状材２５の一端部を上記各固着材２３に固着することにより上記ハニカム板２の裏板１８を固定側部材６に取り付ければよい。この場合、上記ハニカム板２は大きい剛性を有するものでありながら軽量なものであるため、上記固定側部材６へのハニカム板２の取り付け作業は容易にでき、つまり、上記太陽光発電装置１の組み立て作業が容易にできる。
【００５０】
そして、上記太陽光発電装置１の組み立て作業において、ハニカム板２の裏板１８を固定側部材６に取り付けようとして、上記各棒状材２５の一端部を上記各固着材２３に固着するとき、これら固着材２３は上記ハニカム板２の裏板１８側に配置されていることから、上記固着のための作業空間は上記ハニカム板２を基準として上記表板１７に取り付けられた太陽電池３とは反対側の空間に位置することとなる。このため、上記固着のための作業者や棒状材２５が上記太陽電池３に無意図的に接触するなどして、この太陽電池３を損傷させることは、より確実に防止される。よって、上記太陽光発電装置１の組み立て作業には、上記作業者や棒状材２５が上記太陽電池３に接触することに大きくは留意しないで足りる分、上記太陽光発電装置１の組み立て作業が、より容易にできる。
【００５１】
しかも、上記太陽光発電装置１の組み立て作業において、ハニカム板２を固定側部材６に取り付ける場合、前記従来の技術のようなハニカム構造体１５の外縁部に沿って延びる枠材を利用しないで足りることから、上記ハニカム板２を、より軽量にすることができる。また、仮に、上記のような枠材を利用するとしても、上記ハニカム板２の裏板１８を固定側部材６に取り付ける分、上記枠材の強度を低くして、上記ハニカム板２を、より軽量にさせることができる。よって、その分、上記太陽光発電装置１の組み立て作業が更に容易にできる。
【００５２】
また、前記したように、固着材２３をナット３４とし、棒状材２５をボルト３７とし、このボルト３７の一端部に形成された雄ねじ３８を上記ナット３４の雌ねじ３３に螺合させることにより上記ナット３４に上記ボルト３７の一端部が固着されるようにしている。
【００５３】
このため、上記固着材２３と棒状材２５とは、その構成を簡単にできると共に、上記固着材２３への棒状材２５の一端部の固着は上記ボルト３７の捻回作業という単純な作業でできる。よって、その分、太陽光発電装置１の組み立て作業が、より容易にできる。
【００５４】
また、前記したように、固着材２３を全体的にセル１４の内部に配置している。
【００５５】
このため、上記ハニカム板２から外方に向かって上記固着材２３の一部が大きく突出することは防止される。よって、上記ハニカム板２の複数枚を積み重ねるとき、この積み重ねは、上記固着材２３に邪魔されることなくコンパクトに安定した状態にでき、これは、上記ハニカム板２の搬送や保管上有益である。
【００５６】
また、前記したように、表板１７と固着材２３との間に隙間２６を形成している。
【００５７】
このため、太陽光発電装置１の組み立て作業において、上記ハニカム板２の裏板１８を固定側部材６に取り付けるようとして、上記各棒状材２５の一端部を上記各固着材２３に固着するとき、上記各棒状材２５側から各固着材２３に与えられる外力が上記ハニカム板２の表板１７に伝達されることは、上記隙間２６の存在により防止される。よって、上記外力により上記表板１７が変形することは防止されて、この表板１７の外面に取り付けられている太陽電池３が損傷させられることが防止され、その分、上記太陽光発電装置１の組み立て作業が、より容易にできる。
【００５８】
また、前記したように、棒状材２５の他端部が固定側部材６に形成された固着孔２９に挿入されて接着材３０により固着されるようにしている。
【００５９】
このため、コンクリート製のような固定側部材６の外面に対しても、上記ハニカム板２を介し太陽電池３を容易に取り付けることができる。
【００６０】
図３を参照して、上記太陽光発電装置１の組み立て方法につき説明する。
【００６１】
まず、図３（ａ）で示すように、上記各固着材２３にそれぞれ各棒状材２５の一端部を固着させる一方、上記固定側部材６の所定位置に複数の固着孔２９を形成し、これら各固着孔２９に接着材３０を注入する。
【００６２】
次に、図３（ｂ）で示すように、上記各棒状材２５の他端部を上記各固着孔２９に挿入すると共に、上記固定側部材６の外面に上記ハニカム板２の裏板１８を面接触させる。すると、上記各棒状材２５の他端部が上記接着材３０により上記各固着孔２９の内面に接着されて、上記固定側部材６にハニカム板２が取り付けられ、これにより、上記太陽光発電装置１の組み立て作業が終る。
【００６３】
以下の図４は、実施例２を示している。この実施例２は、前記実施例１と構成、作用効果において多くの点で共通している。そこで、これら共通するものについては、図面に共通の符号を付してその重複した説明を省略し、異なる点につき主に説明する。また、これら実施例における各部分の構成を、本発明の目的、作用効果に照らして種々組み合せてもよい。
【実施例２】
【００６４】
本発明をより詳細に説明するために、その実施例２を添付の図４に従って説明する。
【００６５】
図４（ａ）において、固着材２３がナット３４とされる一方、棒状材２５がボルト３７とされ、この棒状材２５の一端部に雄ねじ３８が形成され、他端部が頭部とされる。上記固着材２３への上記棒状材２５の一端部の固着により上記ハニカム板２の裏板１８の外面に被係止部４２が固着される。一方、上記固定側部材６の所定位置に固着され、上記被係止部４２を係脱可能に係止させる係止部４３が設けられる。上記被係止部４２と係止部４３とは板金製とされる。
【００６６】
具体的には、上記固定側部材６に固着孔２９が形成されて接着材３０が注入され、上記固着孔２９に挿入されたボルト形状の他の棒状材４４により、上記固定側部材６の所定位置に上記被係止部４２が固着される。
【００６７】
上記構成によれば、上記係止部４３への被係止部４２の係止という簡単な作業により、上記固定側部材６にハニカム板２を取り付けることができる。よって、その分、上記太陽光発電装置１の組み立て作業が、より容易にできる。
【００６８】
上記太陽光発電装置１の組み立て方法につき説明する。
【００６９】
まず、図４（ａ）で示すように、上記固着材２３への上記棒状材２５の一端部の固着により上記裏板１８に上記被係止部４２を固着する一方、上記固定側部材６の所定位置に係止部４３を固着する。
【００７０】
次に、図５（ｂ）で示すように、上記係止部４３に上記被係止部４２を係止させれば、上記固定側部材６にハニカム板２が取り付けられ、これにより、上記太陽光発電装置１の組み立て作業が終る。
【符号の説明】
【００７１】
１    太陽光発電装置
２    ハニカム板
３    太陽電池
４    端子ボックス
５    電線
６    固定側部材
７    固定具
１１  太陽電池モジュール
１４  セル
１５  ハニカム構造体
１６  孔芯
１７  表板
１８  裏板
２２  孔
２３  固着材
２４  貫通孔
２５  棒状材
２６  隙間
２９  固着孔
３０  接着材
３３  雌ねじ
３４  ナット
３７  ボルト
３８  雄ねじ
４２  被係止部
４３  係止部
４４  他の棒状材
【図１】
2014060271.tif 000003
【図２】
2014060271.tif 000004
【図３】
2014060271.tif 000005
【図４】
2014060271.tif 000006